(57)【要約】【課題】扱ぎ室の穀稈搬入口から受け網の間の穀粒や切れ稈の堆積量を減らし、脱穀能力を向上させるようにした受網を提供する。【解決手段】多孔板３７の外周縁に沿って縦方向の平板状のフレームを取付けて受網４を構成するようにしたので、穀稈搬送方向の始端側の漏下孔３５と前記フレームの間に位置するように、前記漏下孔３５より小面積の小孔３６を形成することができ、扱ぎ室の穀稈搬入口から漏下孔３５までの間に堆積する穀粒や切れ稈を、前記小孔３６から漏下させることにより穀粒や切れ稈の堆積量を減らし、脱穀能力を向上させることができる。【選択図】　　　図５
2004057117.tif 000002
【特許請求の範囲】
【請求項１】
多数の漏下孔が形成された多孔板と、
前記多孔板の周縁部に沿って一体に設けられた縦方向の平板状のフレームと、を備えた、
ことを特徴とする、脱穀機の受網。
【請求項２】
前記多孔板は、
扱ぎ胴の軸方向の終端側ほど該扱ぎ胴の回転方向に偏倚する長穴に形成された漏下孔と、穀稈搬送方向の始端側の該漏下孔と前記フレームとの間に形成された小孔を有し、
前記小孔が、前記長穴に形成された漏下孔より開口面積が小さい丸穴に形成されている、
ことを特徴とする、請求項１記載の脱穀機の受網。
【発明の詳細な説明】
【０００１】
【発明の属する技術分野】
本発明は、コンバイン等に搭載される脱穀機に使用され、穀稈から脱穀された穀粒を漏下させ、稈枝と穀粒を分離するための受網に関する。
【０００２】
【従来の技術】
コンバイン等に搭載される脱穀機として、下扱ぎ軸流式の脱穀機が採用されている。この下扱ぎ軸流脱穀機は、穀稈を、扱ぎ室内に配置された扱ぎ胴の下側に沿って扱ぎ胴の軸方向に移動させることにより穀粒の脱穀を行う。
【０００３】
前記扱ぎ胴は、始端側に、扱ぎ室に搬入された穀稈を扱ぎ胴の下側に導くためのテーパ状の案内部が形成され、該案内部に続けて穀粒の脱穀を行う円筒状の胴部が形成されている。そして、前記案内部から胴部の始端側端部には、穀稈を梳いて扱ぎ歯の通りを良くするため、扱ぎ胴の軸方向に沿って複数段の整梳歯が配置され、前記胴部には、扱ぎ胴の軸方向に沿って複数段の扱ぎ歯が配置されている。
【０００４】
前記扱ぎ室には、前記扱ぎ胴の胴部と対応する形で受網が配置され、前記扱ぎ胴によって穀稈から脱穀された穀粒や引き千切られた切れ稈等から、穀粒と小さな切れ稈を扱ぎ室の下方に配置された揺動選別部に漏下させるようになっている。前記受網として、例えば、特開２０００−３３３５２５号公報に開示されているように、多孔板を用いることが提案されている。
【０００５】
この受網は、扱ぎ胴終端側ほど扱ぎ胴の回転方向に偏倚する傾斜状の長穴を漏下孔とし、該漏下孔の終端部位置を扱ぎ歯の通過位置に合わせるように、複数列形成している。従って、扱ぎ歯で脱穀された穀粒や切れ稈を漏下孔の傾斜で誘導しつつ漏下孔よりの漏下を促すことができ、濡れ材等の脱穀時でも目詰まりの発生を防止することができる。また、漏下孔の傾斜で誘導された屑類が漏下孔の終端部に堆積しても、これを扱ぎ歯で取り除いて目詰まりを防止することができる。
【０００６】
【発明が解決しようとする課題】
しかし、前記受網は、漏下孔が扱ぎ胴に配置された扱ぎ歯に対応する形で配置されているため、脱穀室の穀稈搬入口側に、扱ぎ歯で脱穀され、あるいは引き千切られて飛散した穀粒や切れ稈が堆積し、脱穀能力を低下させていた。
【０００７】
前記の事情に鑑み、本発明は、扱ぎ室の穀稈搬入口から受け網の間の穀粒や切れ稈の堆積量を減らし、脱穀能力を向上させるようにした受網を提供することにある。
【０００８】
【課題を解決するための手段】
請求項１に係る発明は、多数の漏下孔（３５）が形成された多孔板（３７）と、
前記多孔板（３７）の周縁部に沿って一体に設けられた縦方向の平板状のフレーム（４０）と、を備えた、
ことを特徴とする、脱穀機の受網にある。
【０００９】
請求項２に係る発明は、前記多孔板（３７）は、
扱ぎ胴（３）の軸方向の終端側ほど該扱ぎ胴（３）の回転方向に偏倚する長穴に形成された漏下孔（３５）と、穀稈搬送方向の始端側の漏下孔（３５）と前記フレーム（４０）との間に形成された小孔（３６）を有し、
前記小孔（３６）が、前記長穴に形成された漏下孔（３５）より開口面積が小さい丸穴に形成されている、
ことを特徴とする、請求項１記載の脱穀機の受網にある。
【００１０】
なお、括弧内の符号等は、図面と対照するためのものであり、これは、発明の理解を容易にするための便宜的なものであって、特許請求の範囲に何等影響を及ぼすものではない。
【００１１】
【発明の実施の形態】
以下、本発明の実施の形態を図面に基づいて説明する。
【００１２】
図１は本発明を適用する脱穀機の側面断面図、図２は、図１に示す脱穀機における扱ぎ胴と受網の関係を示す部分切断斜視図、図３は、本発明による受網の斜視図、図４は、図３のＡ−Ａ断面図、図５は、図３における整梳歯及び扱ぎ歯と漏下孔の関係を示す展開図である。
【００１３】
図１において、脱穀機１は、穀稈搬入口２ａと排稈搬出口２ｂが形成された扱ぎ室２に配置された扱ぎ胴３と、排稈排出口５ａが形成された扱ぎ室５に配置された扱ぎ胴６を有し、該扱ぎ室２には、扱ぎ胴３の外周に沿って受網４が配置され、扱ぎ室５には、扱ぎ胴６の外周に沿って受網７が配置されている。前記扱ぎ室２及び扱ぎ室５に沿って配置されたフィードチェーン８により保持搬送される穀稈は、扱ぎ室２内で扱ぎ胴３により脱穀処理され、脱穀された穀粒と扱ぎ胴３で引き千切られた切れ稈を受網４上に落下させ、排稈となって扱ぎ室５に搬送され、扱ぎ室５内で扱ぎ胴６で叩かれて排稈の中に残る穀粒と切れ稈を受網７上に落下させる。排稈は、扱ぎ室５内で排稈チェーン１０に引き渡され、該排稈チェーン１０で排稈排出口５ａまで搬送され、排稈排出口５ａから排稈カッター１１に投入されて、排稈カッター１１で細かく切断され排出される。
【００１４】
前記受網４の下方には、揺動流板１２が配置され、更にその下方に唐箕ファン１３が配置されている。そして、揺動流板１２の揺動と唐箕ファン１３からの選別風により揺動流板１２上に落下した切れ稈が除去され、穀粒が一番螺旋１５に集められる。扱ぎ室５の下方には、ターボファン１６が配置され、該ターボファン１６からの選別風で、扱ぎ室５の受網７から落下する穀粒と切れ稈が分離されて穀粒は二番螺旋１７に集められる。前記唐箕ファン１３とターボファン１６からの選別風で吹上げられた切れ稈は、吸引排塵ファン１８で吸引され機外に排出される。前記一番螺旋１５及び二番螺旋１７に集められた穀粒は、揚穀螺旋２０を通してホッパー２１に集められる。
【００１５】
図２に示すように、前記扱ぎ胴３は、低速回転する回転軸２５に支持された前胴２６と、前記回転軸２５の軸心部を貫通し、高速回転する回転軸２７に支持された後胴２８からなる。前記前胴２６は、扱ぎ室２の穀稈搬入口２ａ（図１参照）側にテーパ状の案内部２６ａが形成され、該案内部２６ａから円筒状の胴部２６ｂにかけて複数段の整梳歯３０が配置され、胴部２６ｂには、複数段の扱ぎ歯３１（並歯３１ａと補強歯３１ｂ）が配置されている。また、後胴２８は、円筒状の胴部２８ａが形成され、該胴部２８ａに複数段の扱ぎ歯３１が配置されている。
【００１６】
前記受網４は、前記前胴２６の胴部２６ｂと後胴２８の胴部２８ａに対向するように配置されている。前記受網４には、図２、図３及び図４に示すように、漏下孔３５と小孔３６が形成された多孔板３７と、該多孔板３７の表面（扱ぎ胴３と対向する面）に対し略垂直（縦方向）に配置された仕切板３８と、該多孔板３７の裏面の周縁部に、多孔板３７の裏面に対し略垂直（縦方向）に固定された縦長の平板状のフレーム４０とからなる。
【００１７】
図５に示すように、前記漏下孔３５は、前記扱ぎ歯３１の回転軌跡に対応する位置に、前記扱ぎ胴３の軸方向の終端側ほど該扱ぎ胴３の回転方向に偏倚する長穴として形成され、前記小孔３６は、前記扱ぎ胴３の軸方向の始端側（穀稈搬送方向の始端側）に配置された前記整梳歯３０の回転軌跡に対応する位置（多孔板３７の始端側の漏下孔３５とフレーム４０との間）に、前記漏下孔３５より開口面積が小さい丸穴として形成されている。
【００１８】
本実施の形態における受網４は、前記のように、従来、漏下孔３５が形成されていない多孔板３７の穀稈搬送方向の始端側に、漏下孔３５とフレーム４０の間に位置するように、脱穀された穀粒や切れ稈を漏下させる小孔３６を形成しているので、受網４の略全面から穀粒等を漏下させることができ、扱ぎ室２の穀稈搬入口２ａから始端側の漏下孔３５までの間に堆積する穀粒や切れ稈の堆積量を減らし、脱穀効率を向上させることができる。
【００１９】
なお、多孔板３７の穀稈搬送方向の終端側に、前記漏下孔３５と前記フレーム４０の間に位置するように、前記小孔３６を形成すると、受網４の終端側の漏下孔３５から扱ぎ室２の穀稈搬出口２ｂの間に堆積する穀粒等を漏下させることができ、さらに脱穀効率を向上させることができる。
【００２０】
【発明の効果】
請求項１に係る発明によると、多孔板の周縁部に縦方向の平板状のフレームを配置しているので、多孔板の周縁部を除く略全面に漏下孔を形成することができ、受網の設置領域の略全面から穀粒や切れ稈を漏下させることができるので、扱ぎ室内の穀粒や切れ稈の堆積を大幅に減少させ、脱穀効率を向上させることができる。
【００２１】
請求項２に係る発明によると、多孔板のフレーム取付け位置の際まで円形の小孔を形成することができ、より一層脱穀効率を向上させることができる。
【図面の簡単な説明】
【図１】本発明を適用する脱穀機の側面断面図。
【図２】図１に示す脱穀機における扱ぎ胴と受網の関係を示す部分切断斜視図。
【図３】本発明による受網の斜視図。
【図４】図３のＡ−Ａ断面図。
【図５】図３における整梳歯及び扱ぎ歯と漏下孔の関係を示す展開図。
【符号の説明】
３…扱ぎ胴
４…受網
３５…漏下孔
３６…小孔
３７…多孔板
４０…フレーム
【図１】
2004057117.tif 000003
【図２】
2004057117.tif 000004
【図３】
2004057117.tif 000005
【図４】
2004057117.tif 000006
【図５】
2004057117.tif 000007